【手続補正書】
【提出日】平成18年5月15日(2006.5.15)
【手続補正１】
【補正対象書類名】特許請求の範囲
【補正対象項目名】全文
【補正方法】変更
【補正の内容】
【特許請求の範囲】
【請求項１】
標識板の上端部に取り付けられるシート巻き上げ装置と、標識板の下端部に取り付けられるシート固定レバーと、上端部が前記シート巻き上げ装置に取り付けられるとともに下端部が前記シート固定レバーに取り付けられて標識板の裏面側を覆うことができるシートとを備える標識板裏着雪防止シート。
【請求項２】
標識板を支える上段アーム及び下段アームと前記シートとが接触しないように、上段アームに取り付けられるアームオフセット金具を更に備えた請求項１に記載の標識板裏着雪防止シート。
【請求項３】
前記シート巻き上げ装置が、逆回転防止機能を有する請求項１又は２に記載の標識板裏着雪防止シート。
【請求項４】
前記シート巻き上げ装置が、その軸に取り付けられるハンドルを有し、前記ハンドルの回転により前記シートを巻き上げることができる請求項１〜３のいずれかに記載の標識板裏着雪防止シート。
【手続補正２】
【補正対象書類名】明細書
【補正対象項目名】全文
【補正方法】変更
【補正の内容】
【発明の詳細な説明】
【発明の名称】標識板裏着雪防止シート
【技術分野】
【０００１】
本発明は、標識板裏着雪防止シートに関し、標識板の裏面部を覆い、標識板裏面のアーム等の着雪を防止することが可能な標識板裏着雪防止シートに関する。
【背景技術】
【０００２】
車道上空に設置する大型道路標識は、標識本車道上に張り出すアーム（支柱）に標識板が取り付けられているが、冬期間はアーム上の着雪が雪氷塊となって落下し、通行中の車両を直撃する危険性が極めて高い。これらの危険性を排除するため、道路管理者は、標識板裏面部の着雪状況を点検し、手作業で除去しているが、大雪や地域的な地吹雪による標識板裏面の着雪には、的確に対応できない場合があり、冬期における道路管理上の課題となっている（例えば、特許文献１，２参照）。
【特許文献１】特開２００３−４１５３０号公報
【特許文献２】特開２００４−３１６２４８号公報
【発明の開示】
【発明が解決しようとする課題】
【０００３】
標識板の裏側には、標識板を取り付ける２本のアーム（直径２６７ｍｍ）と、取付金具のほか、標識板の補強金具（リブ）があり、標識板は視認性を良くし、表面に着雪しないように道路に対して垂直より３〜５度下向きに取付けられているため、標識板の裏面全体が着雪しやすい構造となっているところから、標識板裏への着雪を防止するためには、標識板の裏側をシートで覆うことが最も効果的な方法であることが判明した。
【０００４】
本発明は、標識板の裏面部を覆い、標識板裏面のアーム等の着雪を防止するための標識板裏着雪防止シートを提供することを目的とする。
【課題を解決するための手段】
【０００５】
［１］  標識板の上端部に取り付けられるシート巻き上げ装置と、標識板の下端部に取り付けられるシート固定レバーと、上端部が前記シート巻き上げ装置に取り付けられるとともに下端部が前記シート固定レバーに取り付けられて標識板の裏面側を覆うことができるシートとを備える標識板裏着雪防止シート。
【０００６】
［２］  標識板を支える上段アーム及び下段アームと前記シートとが接触しないように、上段アームに取り付けられるアームオフセット金具を更に備えた［１］に記載の標識板裏着雪防止シート。
【０００７】
［３］  前記シート巻き上げ装置が、逆回転防止機能を有する［１］又は［２］に記載の標識板裏着雪防止シート。
【０００８】
［４］  前記シート巻き上げ装置が、その軸に取り付けられるハンドルを有し、前記ハンドルの回転により前記シートを巻き上げることができる［１］〜［３］のいずれかに記載の標識板裏着雪防止シート。
【発明の効果】
【０００９】
このように、本発明の標識板裏着雪防止シートは、標識板の裏側部をシートで覆うため標識板の裏面の着雪を防止することができ、除雪等に伴う点検や除雪作業の労力、経費を節減し、交通の安全と円滑を確保することができる。また、本発明の標識板裏着雪防止シートは、新設の標識板だけでなく、既設の標識板にも取付けが可能である。更に、本発明の標識板裏着雪防止シートは、部品の点数が少なく、標識板の規格に応じた製作が可能であり、更に、シートの巻き上げ（収納）作業が比較的簡便であり、シートの保管業務が不要である。
【発明を実施するための最良の形態】
【００１０】
本発明の標識板裏着雪防止シートは、標識板の上端部に取り付けられるシート巻き上げ装置５と、標識板の下端部に取り付けられるシート固定レバー７と、上端部がシート巻き上げ装置５に取り付けられるとともに下端部がシート固定レバー７に取り付けられて標識板の裏面側を覆うことができるシート１０とを備えるものである（図１，２参照）。
【００１１】
上記本発明の標識板裏着雪防止シートは、道路上空に設置された標識板裏側のアーム（支柱）上への着雪を防止するため、標識板の上端部にシート巻き上げ装置を、標識板の下端部にシート固定レバーをそれぞれ取付け、標識板の裏面側をシートで覆うものである。シート巻き上げ装置及びシート固定レバーは、標識板裏の補強金具（リブ）を活用して取付ける。本発明により以下に示す効果を得ることができる。
【００１２】
（１）降雪等に伴う点検や除雪作業の労力、経費を節減し、交通の安全と円滑を確保することができる。
（２）新設の標識板だけでなく、既設の標識板にも取付けが可能である。
（３）部品の点数が少なく、標識板の規格に応じた製作が可能である。
（４）シートの巻き上げ（収納）作業が比較的簡便であり、シートの保管業務が不要である。
【００１３】
なお、標識板裏の着雪防止シートの装着は、冬期間に限定した対策であるが、標識板を覆うシートの耐久性を確保するとともに、夏期間における景観等に配慮し、比較的簡易な作業によりシートを巻き取る方式により収納することとした。夏期間は、シート巻き上げ装置によりシートを巻き上げた状態で固定するものである。
【００１４】
シート巻き上げ装置５は、その軸にポリプロピレンチューブを有し、シート１０の上端がポリプロピレンチューブに固着されてもよい。
【００１５】
シート巻き上げ装置５は、逆回転防止機能を有する。逆回転防止機能により、シート巻き上げ装置５とシート固定レバー７間に張られたシート１０の緩みを少なくすることができる。
【００１６】
シート巻き上げ装置５は、その軸に取付けられるハンドルを有し、ハンドルの回転によりシートを巻き上げることができるように形成されている。つまり、シートを装着するときには、シート巻き上げ装置のハンドルを外し、装着したシートを巻き上げる場合は、シート巻き上げ装置軸にハンドルを取付け、ハンドルを回転させてシートを標識上端部まで巻き上げるのである。
【００１７】
シート巻き上げ装置５は、巻き上げたシート１０を固定するためのひもを有する。つまり、上記、装着したシートを巻き上げる場合、ハンドルを回転させてシートを標識上端部まで巻き上げ、巻き上げたシートがほぐれないようにひもで固定するものである。
【００１８】
シート１０の下端部には、シート固定レバーに容易に装着できるようにワンタッチフックを取付ける。つまり、シート１０は、その下端部にシート固定レバー７に取り付けられるワンタッチフックを有するものである。また、シート下端部は折り返し加工とする。
【００１９】
シート１０が上段アーム２、下段アーム３及び突起部のある固定金具に触れて損傷することを防止するため、上段アームオフセット金具を上段アームに固定する。つまり、本発明の標識板裏着雪防止シートは、標識板を支える上段アーム２及び下段アーム３とシート１０とが接触しないように、上段アーム２に取り付けられるアームオフセット金具を更に備えるものである。
【００２０】
本発明の標識板裏着雪防止シートを実施する場合には、例えば、シート巻き上げ装置にシートの上端部を取付けて巻き上げた状態で、巻き上げ装置軸固定アングルで標識板上端部に、シート固定レバーをアルミＴ型アングルで標識板下端部にそれぞれ固定するとともに、上段アームオフセットを上段アームに取付ける。そして、シート巻き上げ装置の逆回転防止レバーを外し、シートを標識板下端まで引き下ろしてシート固定レバーにフックで取付け、シートの緩みをなくするためシート巻き上げ装置の巻き上げハンドルで巻き上げながら調整し、逆回転防止レバーで固定する。
【００２１】
夏期間にシートを巻き上げる場合は、シートを固定レバーからシートのフックを外し、巻き上げハンドルを回転させてシートを巻き上げ、固定ひもで固定する。
【図面の簡単な説明】
【００２２】
【図１】本発明の標識板裏着雪防止シートの斜視図であり、上から順に、シートを巻き上げた状態（夏期間）の斜視図と、標識板裏面全体にシートを装着した状態（冬期間）の斜視図である。
【図２】本発明の標識板裏着雪防止シートの部品を示す図であり、上から順に、シート巻き上げ装置を示す図であり、アームオフセット金具を示す図であり、シート固定レバーを示す図であり、シートを示す図である。
【符号の説明】
【００２３】
１：標識本柱、２：上段アーム、３：下段アーム、４：ラチス（指示材）、５：シート巻き上げ装置、６：アームオフセット金具、７：シート固定レバー、８：巻き上げ軸固定アングル、９：アルミＴ型アングル、１０：シート。
【手続補正３】
【補正対象書類名】図面
【補正対象項目名】全図
【補正方法】変更
【補正の内容】
【図１】
2006144521.tif 000001
【図２】
2006144521.tif 000002